(57)【要約】【課題】生理用ナプキン及びオムツにおいて、使用後のナプキン本体を簡便に手際よく折り畳み状態で被覆せしめ、且つ、確実に折り畳み状態を保持できるようにすること。【解決手段】生理用ナプキン及びオムツであって、ナプキン本体１と伸縮自在の袋状体２から成り、前記袋状体２は、一辺が開口２Ａされ、折り畳み状態の前記ナプキン本体１を弾性的に被覆するように伸縮自在に構成されており、前記ナプキン本体１の使用後に、折り畳んだ状態において、前記袋状体２を引っ張って底部２Ｃを迂回して裏返すことで前記ナプキン本体１を包み込む。【選択図】　　　図１
2004073806.tif 000002
【特許請求の範囲】
【請求項１】
２つ折り又は３つ折り状態で折り畳まれて包装される生理用ナプキンであって、
保水機能及び防水機能を備えたナプキン本体１と伸縮自在の袋状体２から成り、
前記袋状体２は、一辺が開口２Ａされ、折り畳み状態の前記ナプキン本体１を弾性的に被覆するように伸縮自在に構成されており、
更に、該袋状体２の一部が前記ナプキン本体１の外側部分１Ａに、前記開口２Ａが前記ナプキン本体１の折り畳み部分１Ｂに臨ませた状態で固着され、
前記ナプキン本体１の使用後に、折り畳んだ状態において、前記袋状体２を、その開口２Ａの外側辺２Ｂを引っ張って底部２Ｃを迂回して裏返すことで前記ナプキン本体１を包み込むことができるように構成した、
生理用ナプキン。
【請求項２】
前記袋状体２が、合成樹脂製のメッシュ網で伸縮自在に構成されている、請求項１の生理用ナプキン。
【請求項３】
前記袋状体２が、ニット編みで伸縮自在に構成されている、
請求項１の生理用ナプキン。
【請求項４】
前記袋状体１の開口２Ａの外側に、粘着テープ３が剥離自在のカバーテープ４を備えた状態で設けられ、前記ナプキン本体１の使用後に前記袋状体２を裏返してナプキン本体１を包み込んだときに、前記テープ４を剥離して、裏返し状態の前記開口２Ａを前記粘着テープ３で閉じることができるように構成した、
請求項１乃至請求項３の生理用ナプキン。
【請求項５】
前記ナプキン本体１及び袋状体２が外装５によって被覆されている、
請求項１乃至請求項４の生理用ナプキン。
【請求項６】
前記袋状体２が、裏返し状態で前記ナプキン本体１を包みこんで外装を兼ね、表返しによってナプキン本体１を使用できるように構成されている、請求項１乃至請求項４の生理用ナプキン。
【請求項７】
２つ折り又は３つ折り状態で折り畳まれ、或いは丸められて包装される生理用オムツであって、
保水機能及び防水機能を備えたナプキン本体と伸縮自在の袋状体から成り、
前記袋状体は、一辺が開口され、折り畳み状態の前記ナプキン本体を弾性的に被覆するように伸縮自在に構成されており、
更に、該袋状体の一部が前記ナプキン本体の外側部分に、前記開口が前記ナプキン本体の折り畳み部分に臨ませた状態で固着され、
前記ナプキン本体の使用後に、折り畳んだ或いは丸めた態において、前記袋状体を、その開口の外側辺を引っ張って底部を迂回して裏返すことで前記ナプキン本体を包み込むことができるように構成した
生理用オムツ。
【発明の詳細な説明】
【０００１】
【発明の属する分野】
本発明は、生理用ナプキン及びオムツ、特に、２つ折り或いは３つ折り状態で包装されているタイプの生理用ナプキン及びオムツの改良に関する。
【０００２】
【従来の技術】
従来において、一般に、２つ或いは３つ折りされた生理用ナプキンは、１個づつ外装されており、使用後において、これを廃棄するときに、自前のティッシュや、次に使用するナプキンの外装を用いて包みこみ、そして捨てるようにされている。しかし、使用後においてこれを捨てる際に、汚物の付着したナプキン本体を取り扱う際に手が汚物で汚れたり、包んだティッシュが解けて汚物入れの中で折り畳み状態が解けてしまって、次に廃棄しようとする他者に不快な思いをさせたり、また、異臭が発生したりするといった衛生的上の問題がある。
【０００３】
こした問題を解決する一つの方法として、例えば、特開平７−２６５３５６号に開示されているように、生理用ナプキンに包装袋を備えて、これに使用後のナプキンを収納して廃棄するようにしたものが提案されている。
この方法によって、ムダなゴミをなくし、経済的且つ衛生的に廃棄できるようになったというものである。
【０００４】
【発明が解決しようとする課題】
このようにナプキン本体に袋を備えて、使用後にここにナプキン本体を収納するという考えはこれまでになかったもので、これによって格別の廃棄用袋、或いはティッシュ等を使用することなく、衛生的に廃棄できるという利点が得られたものであるが、ここに提案の袋は、現在汎用されているティッシュの樹脂フィルム製の包装のように、中央にスリットの挿入口が形成されたもので、汚物吸収で膨らんだ使用後のナプキン本体を被覆するべくこの袋を反転させてようとしても、樹脂フィルムの袋の弾性では容易に反転できないもので、その際の無理な指圧でナプキン本体の汚物液がはみ出すという不都合が発生するという問題がある。
【０００５】
また、袋のスリットの挿入口に入り難いままで廃棄すると、ナプキン本体の折り畳み状態が悪くなり、廃棄時のショックで解れて一部露出したり、異臭の発生を容易にしてしまうという問題がある。
即ち、この構造の包装手段は、手を汚さずに手際よく簡単に袋を反転させてナプキン本体を被覆でき難いという欠陥があり、同時に、ナプキン本体の折り畳み状態を確実に維持することが出来ず、異臭発生を極力抑えるということが難しいという問題があった。
【０００６】
本発明は、かかる現状に鑑み、生理用ナプキン及びオムツにおいて、使用後のナプキン本体を簡便に手際よく折り畳み状態で被覆せしめ、且つ、確実に折り畳み状態を保持できるようにすることを目的とする。
【０００７】
【課題を解決するための手段】
本発明にかかる生理用ナプキンは、上記目的を達成するべく、２つ折り又は３つ折り状態で折り畳まれて包装される生理用ナプキンであって、
保水機能及び防水機能を備えたナプキン本体１と伸縮自在の袋状体２から成り、
前記袋状体２は、一辺が開口２Ａされ、折り畳み状態の前記ナプキン本体１を
弾性的に被覆するように伸縮自在に構成されており、
更に、該袋状体２の一部が前記ナプキン本体１の外側部分１Ａに、前記開口２Ａが前記ナプキン本体１の折り畳み部分１Ｂに臨ませた状態で固着され、
前記ナプキン本体１の使用後に、折り畳んだ状態において、前記袋状体２を、その開口２Ａの外側辺２Ｂを引っ張って底部２Ｃを迂回して裏返すことで前記ナプキン本体１を包み込むことができるように構成した、
という手段を講じたのである。
【０００８】
本発明にかかる生理用オムツは、上記目的を達成するために、２つ折り又は３つ折り状態で折り畳まれ、或いは丸められて包装される生理用オムツであって、
保水機能及び防水機能を備えたナプキン本体と伸縮自在の袋状体から成り、
前記袋状体は、一辺が開口され、折り畳み状態の前記ナプキン本体を弾性的に被覆するように伸縮自在に構成されており、
更に、該袋状体の一部が前記ナプキン本体の外側部分に、前記開口が前記ナプキン本体の折り畳み部分に臨ませた状態で固着され、
前記ナプキン本体の使用後に、折り畳んだ或いは丸めた態において、前記袋状体を、その開口の外側辺を引っ張って底部を迂回して裏返すことで前記ナプキン本体を包み込むことができるように構成した
という手段を講じたのである。
本発明に言う生理用オムツとは、乳児用、幼児用、成人用（老人或いは医療目的等）のオムツを言う。
【０００９】
【発明の実施の態様】
本発明において、前記袋状体２が、合成樹脂製のメッシュ網で伸縮自在に構成されているか、ニット編みで伸縮自在に構成されているのが好ましい。この場合、本発明に言う袋状体２の底部２Ｃを迂回する裏返しが行い得る範囲において、その素材については、適宜のものが用いられても良く、除湿或いは通気性を備えた機能性繊維の織布、防水性繊維等を用い、適宜の編み方、織り方が用いられてよい、
【００１０】
また、本発明において、前記袋状体１の開口２Ａの外側に、粘着テープ３が剥離自在のカバーテープ４を備えた状態で設けられ、前記ナプキン本体１の使用後に前記袋状体２を裏返してナプキン本体１を包み込んだときに、前記テープ４を剥離して、裏返し状態の前記開口２Ａを前記粘着テープ３で閉じることができるように構成するのが好ましい。この場合、前記粘着テープ３は、実施例に示す如く、前記開口２Ａのナプキン本体１と反対側の外側に設ける他に、前記開口２Ａのナプキン本体１側の外側に設けても良いし、何れか一方でもよい。また、前記開口２Ａの内側の一側に設け、裏返したときに、一旦開口２Ａを閉じた状態で折り曲げて、外側に位置する粘着テープ３を、袋状体の側面に接着するようにしても良い。
【００１１】
また、前記ナプキン本体１及び袋状体２が外装５によって被覆されているようにする場合は、一般の汎用ナプキンのものに対して本発明の袋状体２の付設を行えば実施できるものである。
【００１２】
更に、前記袋状体２が、裏返し状態で前記ナプキン本体１を包みこんで外装を兼ね、表返しによってナプキン本体１を使用できるように構成してもよく、この場合は、メッシュ網よりもニット編みの袋状体が好ましい。
尚、本発明に直接関わりないが、ナプキン本体１の下着への留め付け手段は、公知の粘着テープ等を用いてよい。
【００１３】
【実施例】
以下、本発明に係る生理用ナプキン及びオムツの好適実施例について、図面を参照して詳述する。
図１乃至図４に示す実施例は、生理用ナプキンの一実施例である。
この生理用ナプキンは、３つ折り状態で折り畳まれて包装される生理用ナプキンであって、主に、保水機能及び防水機能を備えたナプキン本体１と伸縮自在の袋状体２から成る。
【００１４】
そして、前記袋状体２は、合成樹脂製のメッシュ網で矩形状をなし、その短辺の一辺が開口２Ａされ、折り畳み状態の前記ナプキン本体１を弾性的に被覆するように伸縮自在に構成されている。
更に、該袋状体２の一部が、前記ナプキン本体１の外側部分１Ａに、前記開口２Ａが前記ナプキン本体１の折り畳み部分１Ｂに臨ませた状態で、接着により固着されている。
【００１５】
更に、前記ナプキン本体１の使用後に、３つに折り畳んだ状態において、前記袋状体２を、メッシュ網の変形伸びによる弾性を利用して、その開口２Ａの外側辺２Ｂを引っ張って底部２Ｃを迂回して裏返すことで前記ナプキン本体１を包み込むことができるように構成されている。
【００１６】
また、前記袋状体２の開口２Ａの外側に、粘着テープ３が剥離自在のカバーテープ４を備えた状態で設けられ、前記ナプキン本体１の使用後に前記袋状体２を裏返してナプキン本体１を包み込んだときに、前記テープ４を剥離して、裏返し状態の前記開口２Ａを前記粘着テープ３で閉じることができるように構成されている。
尚、図１において、仮想線で示すように、前記ナプキン本体１及び袋状体２が外装５（樹脂フィルム等適宜の素材の包装）によって被覆されている。また、ナプキン本体１の下着への留め付けは、前記袋状体２の近くに粘着テープ等の公知の手段を設けることによって適宜行う。
【００１７】
次いで、２つ折り又は３つ折り状態で折り畳まれ、或いは丸められて包装される生理用オムツについて述べる。この実施例説明では、生理用オムツと生理用ナプキンとの違いがある他は上記生理用ナプキンの実施例と差異がないものであるので、形状理解は図１乃至図４を参照するということで、生理用オムツに関する図示を省略する。
【００１８】
この生理用オムツは、保水機能及び防水機能を備えたナプキン本体と伸縮自在の袋状体から成り、前記袋状体は、一辺が開口され、折り畳み状態の前記ナプキン本体を弾性的に被覆するように伸縮自在に構成されている。
そして、該袋状体の一部が前記ナプキン本体の外側部分に、前記開口が前記ナプキン本体の折り畳み部分に臨ませた状態で接着により固着されている。
【００１９】
また、前記ナプキン本体の使用後に、折り畳んだ或いは丸めた状態において、前記袋状体を、その開口の外側辺を引っ張って底部を迂回して裏返すことで前記ナプキン本体を包み込むことができるように構成されているものである。
【００２０】
【発明の効果】
本発明の生理用ナプキン及びオムツによれば、袋状体の弾性変形による裏返しによって使用後の折り畳み状態のナプキン本体を、手を汚すことなく簡便に手際よく被覆せしめ、且つ、袋状体のナプキン本体を収納することによる膨らみ変形の弾性復元力によって、ナプキン本体の折り畳み状態を弾性保持して不用意に折り畳み状態が解れ、袋状体からはみ出すといったことがない状態で捨てることができる顕著な効果を奏するに至った。
本発明のその他の具体的な効果は、上記発明の実施の態様の項及び実施例の項において詳述した通りである。
【図面の簡単な説明】
【図１】本発明にかかる生理用ナプキンの全体の斜視図である。
【図２】本発明にかかる生理用ナプキンの図１におけるＩＩ−ＩＩ矢視断面図である。
【図３】本発明にかかる生理用ナプキンの展開斜視図である。
【図４】本発明にかかる生理用ナプキンの一使用状態を示す全体の斜視図である。
【符号の説明】
１　ナプキン本体
１Ａ　外側部分
１Ｂ　折り畳み部分
２　袋状体
２Ａ　開口
２Ｂ　外側辺
２Ｃ　底部
３　粘着テープ
４　カバーテープ
５　外装
【図１】
2004073806.tif 000003
【図２】
2004073806.tif 000004
【図３】
2004073806.tif 000005
【図４】
2004073806.tif 000006